(57)【要約】【課題】エレベータ出入口の敷居上面を平坦にすることができるとともに、戸の据付時における作業性を向上させることができるエレベータの戸案内装置を得る。【解決手段】エレベータの出入口３を開閉する戸４と、戸４の下方に設けられ、戸４の開閉時に戸４の下端部の移動方向を案内する案内溝５ａが形成された敷居５と、戸４の下端部に設けられ、一端部が戸４の反出入口３側に突出する取付部７と、取付部７の一端部に設けられ、戸４の開閉に連動して案内溝５ａ内を移動する戸の脚９とを備え、上記敷居５の案内溝５ａを、全開した戸４の出入口３側端面よりも反出入口３側に形成するとともに、出入口３下方の敷居５上面全体を平坦に形成する。【選択図】図２
2008037627.tif 000002
【特許請求の範囲】
【請求項１】
エレベータの出入口を開閉する戸と、
前記戸の下方に設けられ、前記戸の開閉時に前記戸の下端部の移動方向を案内する案内溝が形成された敷居と、
前記戸の下端部に設けられ、一端部が前記戸の反出入口側に突出する取付部と、
前記取付部の一端部に設けられ、前記戸の開閉に連動して前記案内溝内を移動する戸の脚と、
を備え、
前記敷居は、前記案内溝が、全開した前記戸の出入口側端面よりも反出入口側に形成され、前記出入口下方の前記敷居上面が平坦に形成されたことを特徴とするエレベータの戸案内装置。
【請求項２】
取付部は、戸の下方に配置され、鉛直投影面上、前記戸の表面及び裏面、出入口側端面から突出しないことを特徴とする請求項１に記載のエレベータの戸案内装置。
【請求項３】
取付部は、戸の裏側から前記戸に設けられ、少なくともその一部が前記戸の裏面よりも外側に配置されたことを特徴とする請求項１に記載のエレベータの戸案内装置。
【請求項４】
戸の脚は、取付部の一端部に複数設けられたことを特徴とする請求項１から請求項３の何れかに記載のエレベータの戸案内装置。
【発明の詳細な説明】
【技術分野】
【０００１】
この発明は、エレベータの乗場の戸やかごの戸の開閉動作を案内する戸案内装置に関するものである。
【背景技術】
【０００２】
エレベータの乗場には、乗場の床面と乗場の床面から立設された乗場三方枠とによって乗場出入口が形成され、エレベータの利用者は、かごへの乗降の際にこの乗場出入口を通過する。また、かごが乗場に停止していない場合、乗場にいるエレベータ利用者の安全を確保するため、上記乗場出入口は乗場の戸によって閉鎖されている。なお、上記乗場の戸は、かごがその乗場に着床した際にかごの戸に連動して開放される。一般に、上記乗場の戸は引き戸で構成されており、その開閉時、上部の移動方向は、乗場の戸の上部に回動自在に設けられたハンガーローラが乗場出入口上方の昇降路壁等に設けられたハンガーレール上を転動することによって案内され、下部の移動方向は、乗場の戸の下部に設けられた戸の脚が乗場敷居の案内溝内を移動することによって案内されている。
【０００３】
上記のような構成を有する従来のエレベータの戸案内装置では、乗場出入口の乗場敷居上面に戸の脚の移動方向を案内するための案内溝が形成されていたため、例えば、車椅子を使用するエレベータ利用者や買い物用のカートを押した利用者が乗場出入口を通過する際に、車椅子やカートの車輪が乗場敷居の案内溝に引っ掛かったり、上記車輪が案内溝の縁部に衝突して衝撃を受けたりするといった不具合が生じていた。なお、エレベータのかごに設けられたかご敷居でも同様の不具合が生じていた。
【０００４】
また、複数枚の引き戸によって出入口を開閉するエレベータの戸案内装置の従来技術として、出入口の敷居上面を平坦にするため、高速戸に設けられた第２の案内手段と戸袋の内側に設けられた第３の案内手段とによって低速戸の移動方向（開閉方向）を案内したものが提案されている（例えば、特許文献１参照）。
【０００５】
【特許文献１】特開平３−２３２６８３号公報
【発明の開示】
【発明が解決しようとする課題】
【０００６】
特許文献１記載のものでは、出入口の敷居上面に戸の脚を案内するための案内溝が形成されていないため、車椅子を使用する利用者等も安心してかごへの乗降を行うことができる。しかし、高速戸の下部には、敷居下面にまで回り込むように形成された戸の脚が設けられているため、戸の据付時に、戸を敷居上面に載置して安定して据付作業を行うことができないといった問題があった。
【０００７】
この発明は、上述のような課題を解決するためになされたもので、その目的は、エレベータ出入口の敷居上面を平坦にすることができるとともに、戸の据付時における作業性を向上させることができるエレベータの戸案内装置を提供することである。
【課題を解決するための手段】
【０００８】
この発明に係るエレベータの戸案内装置は、エレベータの出入口を開閉する戸と、戸の下方に設けられ、戸の開閉時に戸の下端部の移動方向を案内する案内溝が形成された敷居と、戸の下端部に設けられ、一端部が戸の反出入口側に突出する取付部と、取付部の一端部に設けられ、戸の開閉に連動して案内溝内を移動する戸の脚と、を備え、上記敷居は、案内溝が、全開した戸の出入口側端面よりも反出入口側に形成され、出入口下方の敷居上面が平坦に形成されたものである。
【発明の効果】
【０００９】
この発明によれば、エレベータ出入口の敷居上面を平坦にすることができるとともに、戸の据付時における作業性を向上させることができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるエレベータ乗場を示す斜視図である。なお、本発明に係るエレベータの戸案内装置は、エレベータの乗場の戸及びかごの戸の何れにも対応可能であり同様の効果を奏するものであるが、乗場の戸に対応させた場合についてのみ以下に説明し、かごの戸に対応させた場合についての説明は省略する。
【００１２】
図１において、１はエレベータの乗場の床面、２は乗場の床面１に立設された乗場三方枠、３は床面１及び乗場三方枠２によって形成された乗場出入口、４は乗場出入口３を開閉する引き戸からなる乗場の戸、５は乗場の戸４の下方となる乗場の床面１に設けられ、乗場の戸４の開閉方向と同じ間口方向にその長手が配置されて、乗場の戸４の開閉時に乗場の戸４の下端部の移動方向（開閉方向）を案内する案内溝５ａ（図１では図示せず）が形成された乗場敷居である。
【００１３】
上記乗場の戸４は、乗場にいるエレベータ利用者の安全を確保するため、エレベータのかご（図示せず）がその乗場に停止していない場合には、乗場出入口３を完全に閉鎖する。そして、かごがその乗場に着床した際に、かごの戸（図示せず）に連動して開放される。ここで、開閉時における乗場の戸４は、上部の移動方向が、乗場の戸４の上部に回動自在に設けられたハンガーローラ（図示せず）が乗場出入口３上方の昇降路壁に設けられたハンガーレール（図示せず）上を転動することによって案内され、下部の移動方向は後述の戸案内装置によって案内される。
【００１４】
図２はこの発明の実施の形態１におけるエレベータの戸案内装置を示す斜視図、図３はこの発明の実施の形態１におけるエレベータの戸案内装置を示す正面図、図４はこの発明の実施の形態１におけるエレベータの戸案内装置を示す側面図である。なお、図２及び図３は昇降路内部から乗場側を見た状態を示している。図２乃至図４において、６は乗場の戸４の内部に設けられ、略Ｌ字状に曲成された下端部が、乗場の戸４の間口方向に渡って乗場の戸４の下面から下方に僅かに突出する支持部、７は支持部６の下端部に設けられた所定の長さ及び幅を呈する板状の取付部である。なお、取付部７は、鉛直投影面上乗場の戸４の乗場側側面（表面）、乗場出入口３側端面、昇降路側側面（裏面）から突出しないように乗場の戸４の下方に配置され、乗場の戸４の開閉時における他部材との干渉防止が図られている。また、取付部７の一端部は、鉛直投影面上乗場の戸４の反乗場出入口３側端面（戸袋側端面）から反乗場出入口３側に所定距離突出するように配置されている。
【００１５】
８は取付部７の一端部に設けられ、その一部が取付部７から下方に突出する固定金、９は固定金８の下端部に設けられた戸の脚である。ここで、上記戸の脚９は、乗場敷居５の上面に乗場敷居５の長手に沿って形成された案内溝５ａ内に配置されており、乗場の戸４の開閉時に、乗場の戸４の開閉に連動して案内溝５ａ内をその溝方向に移動することにより、乗場の戸４の下端部を案内する。なお、上記乗場敷居５は、案内溝５ａが、全開した状態の乗場の戸４の乗場出入口３側端面よりも反乗場出入口３側（戸袋側）に形成されており、乗場出入口３下方の乗場敷居５の上面は平坦に形成されている。即ち、支持部６及び取付部７、固定金８等は、戸の脚９が乗場の戸４の開閉に連動して上記案内溝５ａ内を移動するように、戸の脚９を配置するためのものであり、上記戸の脚９と案内溝５ａとは、常時乗場出入口３の外側に配置されるように構成されている。
【００１６】
この発明の実施の形態１によれば、乗場の戸４の下部の開閉動作を案内する戸の脚９と案内溝５ａとが常時乗場出入口３の外側に配置されるため、乗場出入口３下方の乗場敷居５上面は、全体に渡って平坦に形成される。したがって、車椅子を使用するエレベータ利用者や買い物用のカートを押した利用者等が乗場出入口３を通過する場合でも、車椅子等の車輪が乗場敷居５に引っ掛かったりすることはなく、利用者は安心してかごへの乗降を行うことができる。
【００１７】
また、取付部７は板状を呈しているため、乗場の戸４の下端面に相当する取付部７の下面は平坦に形成される。したがって、乗場の戸４の据付時には、戸の脚９を案内溝５ａ内に配置した状態で乗場の戸４を乗場敷居５の上面に載置することが可能であり、安定した状態で据付作業が実施でき、作業性の向上を図ることができる。
【００１８】
実施の形態２．
図５はこの発明の実施の形態２におけるエレベータの戸案内装置を示す要部正面図である。図５において、乗場の戸４の反乗場出入口３側端面から反乗場出入口３側に突出する取付部７の一端部には、複数（図５においては２つ）の戸の脚９ａ及び９ｂが略一直線状に設けられている。なお、８ａ及び８ｂは、戸の脚９ａ及び９ｂを取付部７の一端部にそれぞれ固定するための固定金である。ここで、上記戸の脚９ａ及び９ｂは、図示されていないが実施の形態１と同様に、乗場敷居５の上面に形成された案内溝５ａ内に配置されており、乗場の戸４の開閉時に、乗場の戸４の開閉に連動して案内溝５ａ内をその溝方向に移動することにより、乗場の戸４の下端部を案内する。なお、複数の戸の脚９ａ及び９ｂを配置するため、乗場の戸４の反乗場出入口３側端面から突出する取付部７の一端部の長さや、案内溝５ａの長さは、適宜調整される。その他は、実施の形態１と同様の構成を有する。
【００１９】
この発明の実施の形態２によれば、複数の戸の脚９ａ及び９ｂを備えることにより、戸案内装置の剛性を十分に確保することが可能となり、例えば、乗場側から乗場の戸４を押された場合でも、乗場の戸４の振れを抑制することができる。また、乗場の戸４の幅が大きい場合には特に効果を奏する。その他の効果は実施の形態１と同様である。
【００２０】
実施の形態３．
図６はこの発明の実施の形態３におけるエレベータの戸案内装置を示す斜視図、図７はこの発明の実施の形態３におけるエレベータの戸案内装置を示す側面図である。図６及び図７において、６ａは乗場の戸４の内部に設けられた板金部材等からなる支持部、１０は支持部６ａに設けられ、その一部が乗場の戸４の昇降路側側面（裏面）から僅かに昇降路側に突出した座、７ａは座１０に設けられた所定の長さ及び幅を呈する板状の取付部である。なお、取付部７ａは、昇降路側（乗場の戸４の裏側）から上記座１０に取り付けられており、全体が乗場の戸４の昇降路側側面よりも昇降路側（外側）に配置されている。また、取付部７ａは、他端部が乗場の戸４の乗場出入口３側端面から乗場出入口３側に突出しないように配置されるとともに、一端部が乗場の戸４の反乗場出入口３側端面（戸袋側端面）から反乗場出入口３側に所定距離突出するように配置されている。
【００２１】
８ｃは取付部７ａの一端部に設けられ、その一部が取付部７ａから下方に突出する固定金であり、固定金８ｃの下端部に、戸の脚９が設けられている。なお、案内溝５ａは、乗場の戸４の昇降路側側面よりも側面視昇降路側に配置された戸の脚９の配置に合わせて形成されている。即ち、案内溝５ａは、実施の形態１や２の場合よりも、僅かに昇降路側に寄って形成されている。その他の構成は、実施の形態１又は２と同様である。
【００２２】
かかる構成を有することによっても、実施の形態１及び２と同様の効果を奏することが可能となる。また、取付部７ａを乗場の戸４の裏側から取り付けることができるため組立作業性が良く、乗場の戸４を乗場に据え付けた後であっても、取付部７ａの取付や交換が可能となる。このため、据付性とともに保守性も向上させることができる。
【図面の簡単な説明】
【００２３】
【図１】この発明の実施の形態１におけるエレベータ乗場を示す斜視図である。
【図２】この発明の実施の形態１におけるエレベータの戸案内装置を示す斜視図である。
【図３】この発明の実施の形態１におけるエレベータの戸案内装置を示す正面図である。
【図４】この発明の実施の形態１におけるエレベータの戸案内装置を示す側面図である。
【図５】この発明の実施の形態２におけるエレベータの戸案内装置を示す要部正面図である。
【図６】この発明の実施の形態３におけるエレベータの戸案内装置を示す斜視図である。
【図７】この発明の実施の形態３におけるエレベータの戸案内装置を示す側面図である。
【符号の説明】
【００２４】
１  床面
２  乗場三方枠
３  乗場出入口
４  乗場の戸
５  乗場敷居
５ａ  案内溝
６、６ａ  支持部
７、７ａ  取付部
８、８ａ、８ｂ、８ｃ  固定金
９、９ａ、９ｂ  戸の脚
１０  座
【図１】
2008037627.tif 000003
【図２】
2008037627.tif 000004
【図３】
2008037627.tif 000005
【図４】
2008037627.tif 000006
【図５】
2008037627.tif 000007
【図６】
2008037627.tif 000008
【図７】
2008037627.tif 000009